(57)【特許請求の範囲】
【請求項１】
洗浄により除去することのできる容易に識別可能な物質を用意する段階と、
手の洗浄を必要とする事象に関連する作動部材に物理的に連結され前記容易に識別可能な物質に結合した印付け機構を用意する段階と、
前記作動部材の人の手による操作時に、前記印付け機構がトリガされるときに、この人の手に前記容易に識別可能な物質で印付けする段階と、
を包含する、手の洗浄を確実にするのに役立つ方法。
【請求項２】
洗浄により除去することのできる容易に識別可能な物質と、
この容易に識別可能な物質を受け入れるように結合した印付け機構とを備え、この印付け機構を、手の洗浄を必要とする事象に関連する作動部材に物理的に連結し、この作動部材の手による操作時に、前記印付け機構がトリガされるときに、人の手に前記容易に識別可能な物質で印付けする作用ができるようにした、
手の洗浄を確実にするのに役立つ装置。
【請求項３】
人の手の消毒を確実にするのに役立つように十分な時間にわたり消毒媒体で洗浄することにより除去できる容易に識別可能な物質を用意する段階と、
この容易に識別可能な物質に結合した印付け機構を用意する段階と、
人の手の洗浄が望ましい事象により前記印付け機構がトリガされるときに、前記容易に識別可能な物質で人の手に印付けする段階と、
を包含する人の手の洗浄を確実にするのに役立つ方法。
【請求項４】
人の手の消毒を確実にするのに役立つように十分な時間にわたり消毒媒体で洗浄することにより除去できる容易に識別可能な物質と、
この容易に識別可能な物質に結合した印付け機構と、
人の手の洗浄が望ましい事象に関連する作動機構とを備え、
前記印付け機構が、手による前記作動機構の操作によりトリガされるときに、前記印付け機構が、人の手に前記容易に識別可能な物質で印付けするように作動可能である、
人の手の洗浄を確実にするのに役立つ装置。
【請求項５】
人の手の消毒を確実にするのに役立つように洗浄することにより除去できる容易に識別可能な物質と、
人の手の洗浄が望ましい事象に関連する印付け機構及び作動機構とを備え、
前記事象に応答する前記作動機構により前記印付け機構がトリガされるときに、前記印付け機構が、前記容易に識別可能な物質で人の手に印を付けるように作動可能であり、
前記容易に識別可能な物質を前記印付け機構に結合した交換できる容器内に入れた、
人の手の洗浄を確実にするのに役立つ装置。
【請求項６】
人の手の洗浄を確実にするのに役立つ装置に使う交換できる容器において、前記交換可能な容器の内部に入れられ、人の手の消毒を確実にするのに役立つように洗浄により除去できる容易に識別可能な物質を備え、
手の洗浄が望ましい事象により印付け機構がトリガされる時に、前記容易に識別可能な物質で人の手に印付けするように印付け機構内に解放可能に固定されるように作動できるようにして成る容器。
【発明の詳細な説明】
【０００１】
【産業上の利用分野】
本発明は、一般に衛生的な区域（ｓａｎｉｔａｒｙ  ａｒｅａ）を保持する分野と手の洗浄を確実にするのに役立つ（ｈｅｌｐｉｎｇ  ｔｏ  ａｓｓｕｒｅ  ｔｈｅ  ｗａｓｈｉｎｇ  ｏｆ  ｈａｎｄｓ）方法及び装置とに関し、ことに容易に識別可能な物質（ｅａｓｉｌｙ  ｉｄｅｎｔｉｆｉａｂｌｅ  ｓｕｂｓｔａｎｃｅ）を除去するために、人の手の洗浄を必要とする前記物質で人の手に印付けすることにより確実な洗浄を行うことに関する。
【０００２】
【従来の技術】
種種の互いに異なる分野及び事業においては、若干の区域に入り又は若干の区域から出る人がこのような入又は出に先だってそれぞれ手を確実に消毒しておく必要がある。明白な例では食料生産者及びヘルス・ケア従業者を含む（ただしその他列拳できないほど多い潜在的な例がある）。手の消毒を確実にするとくに必要な例としてレストラン業界がある。食品の生産者、従業者等は他の人達の食料の取扱いに先だってそれぞれ手を清浄にし消毒しなければならない。この必要性は、レストラン従業員がレストルーム／トイレットに入った後では自明のことである。レストルーム／トイレット内のバクテリア類（たとえばＥ−大腸菌及び糞便類）はよく知られた問題であり、レストラン従業員の手の適正な洗浄／滅菌を行わないと、この問題は未知の顧客に伝わる。又個人の住居でも手の消毒が必要である。このことはとくに幼兒の居る家庭の場合に言える。医師は、ひんぱんに手を洗うこと（とくにバスルームの使用後）が病気を最少にするのに極めて重要な要因であることを多年にわたり知っている。
【０００３】
従来レストランや両親は、手の洗浄に関する規則及び規定により前記の問題に対応しようとしている。たとえば多くのレストランでは「従業員は退店の前に手を洗わなければならない」と概略指定する合いことばがある。規則又は方針への人の執着を必要とする方法が間違いなく承諾を確実に得るには不十分であるのは明らかである。すなわち人がその手を確実に消毒しとくに若干の区域に入るのに先だってこのように消毒することが極めて必要である。
【０００４】
この問題に対応するようにした特許されたシステムも特許されていないシステムも現在共にある。これ等のシステムは間違いを生じないものでなく（すなわち規則に対する個別の承諾を必要とする）又は複雑で従って使えないほど高価になる。たとえば米国特許第５，６７０，９４５号明細書には、防湿スイッチを内部に持つ消毒鉢及び近接した検出器を備えた複雑なシステムについて記載してある。所望の出力信号を生ずるようにするのに人は両手を同時にこの消毒鉢に挿入しなければならない。米国特許第５，２０２，６６６号、同第４，８９６，１４４号、同第３，９６７，４７８号、同第５，６１０，５８９号、同第４，６８８，５８５号及び同第５，１９９，１８８号の各明細書はすべて、電子装置、センサ、ポンプ等のようなものを含む複雑なシステムを備える。さらにこれ等のシステムはいずれも、作業者の手の無意識の不適正な消毒を有効確実には検出するものがない。
【０００５】
非衛生的な区域から出るか又は衛生的な区域に入る前には人が確実に手を洗浄する間違いのない簡単な安価な方法が必要である。商業地域及び住居場所で既存のバスルームに後方に取付けることができるのに十分なだけ簡単で安価なシステムがとくに望ましい。
【０００６】
本発明は、従来の消毒予定より有利に手を確実に洗浄するのに役立つ方法及び装置を提供する。
【０００７】
本発明の１態様によれば手を確実に洗浄するのに役立つ方法では、手の確実な消毒に役立つのに十分な時限にわたり消毒媒体で洗浄することにより除くことのできる容易に識別可能な物質を用意する。この容易に識別可能な物質に印付け機構を結合し、次いで手の洗浄が望ましい場合によりこの印付け機構がトリガされるとこの容易に識別可能な物質で人の手が印付けされる。この印付け機構はその一体部分として作動機構に協働させる（たとえば印付け機構はドア・ノブに埋め込めばよい）。
【０００８】
本発明の他の態様によれば、手を確実に洗浄するのに役立つ装置は、洗浄により除かれる容易に識別可能な物質を含む。この容易に識別可能な物質に印付け機構を結合してある。この印付け機構は、この印付け機構をトリガしたときに容易に識別可能な物質で人の手に印付けするように作用する。
【０００９】
１つの実施例ではトイレット又は小便所の水洗機構を印付け機構に結合し、人がトイレット又は小便所の洗浄を行うと印付け機構がトリガする。他の実施例ではドア・ハンドルに印付け機構を結合しこの印付け機構を人がこのドア・ハンドルを使うとトリガされる。
【００１０】
ドア・ハンドル及びトイレット洗浄機構のほかに本発明は、人が手を洗浄することが望ましい任意の状態で使うことができる。医学的研究では、１日数回手を洗浄することにより病気が著しく減少することを示している。従って本発明は、家庭への入口又は冷凍室への入口のような種種の入口又は装置に使うことができる。
【００１１】
各個人がその手に容易に識別可能な物質で印を付けることによりそれぞれ手を確実に洗浄できることは本発明の技術的利点である。
【００１２】
既存の商業用及び住居用のレストルームと既存の商業用及び住居用の衛生的な区域への入口に後から取付けることのできる比較的簡単で安価なシステム及び方法の得られることは本発明の他の技術的利点である。
【００１３】
本発明のその他の技術的利点は添付図面による以下の説明から明らかである。
【００１４】
本発明のさらに詳しい説明及びその利点は添付図面について以下に詳しく述べる。添付図面では同様な部品に同様な参照数字を使ってある。
【００１５】
【実施例】
図１は印付け機構（ｍａｒｋｉｎｇ  ｍｅｃｈａｎｉｓｍ）を持つトイレット洗浄システム（ｔｏｉｌｅｔ  ｆｌｕｓｈｉｎｇ  ｓｙｓｔｅｍ）の１実施例の縦断面図である。図１の実施例では印付け機構は、空気ホース１２に連結した（又は空気ホースと一体の）圧縮性のバルブ（ｓｑｕｅｅｚｉｎｇ  ｂｕｌｂ）１０を備える。バルブ１０を締付けることにより、この場合空気を空気ホース１２内に押込む。この信号（又は事象）は洗浄機構１５を使ってトイレットを洗浄するのに種種の方式で使うことができる。印付け機構１０又は洗浄機構１５は共に多数のよく知られた工業的に利用できる機構のうちの任意のもの、たとえば次の形式のシステム（１）機械的、（２）空気圧式、（３）空気圧式（機械的）、（４）電子式及び（５）これ等の任意の組合せのシステムのうち任意のシステムでよいことが当業者に認められている。本発明は任意のこのような洗浄機構を利用することができ特殊な形式の洗浄機構もあまり問題にならない。
【００１６】
図１に示した洗浄機構は本発明に使うのに満足の得られる作動機構の１例である。ドア・ノブ又はその他の形式の操作機構も又本発明による作動機構として満足の得られる機能を果たす。図１の洗浄機構及びドア操作機構のような広範囲の種類の部品が人の手の洗浄の望ましい事象に関連する作動機構として使って満足が得られる。
【００１７】
図１の実施例では印付け機構は、機械的トリガとして作用し、さらにバルブ（ｂｕｌｂ）１０を被覆し又はこのバルブの一体部分である吸収材料（ａｂｓｏｒｂｉｎｇ  ｍａｔｅｒｉａｌ）１１を備える。吸収材料１１は、容器１４内に保持される容易に識別可能な（ｅａｓｉｌｙ  ｉｄｅｎｔｉｆｉａｂｌｅ  ｓｕｂｓｔａｎｃｅｓ）物質１３を含み又はこの物質で飽和している。１実施例では容器１４、容易に識別可能な物質１３及び吸収材料（ａｂｓｏｒｂｉｎｇ  ｍａｔｅｒｉａｌ）１１は、吸収材料１１がバルブ１０を締付ける人の手に印を付けるのに十分な容易に識別可能な物質１３をつねに含むように構成する。容易に識別可能な物質１３の定常的供給を確実にする多くの方法の１つは、容易に識別可能な物質１３を吸収材料１１に重力により送給することである。容易に識別可能な物質１３はたとえば穴１６を経て容器１４内に再充てんすることができる。
【００１８】
容易に識別可能な物質１３は、商業的に利用でき当業界にはよく知られた若干の物質のうちの任意のものでよい。物質１３の重要な特性は、この物質が人の手に明瞭な印を付け毒性がなく消毒媒体たとえば石鹸水又はその他の若干の望ましい洗浄液又は消毒液で洗浄できることである。又容易に識別可能な物質１３はこの物質が吸収材料１１上にあるときに乾燥してはならない。容易に識別可能な物質１３はたとえば人の手に明らかな印を付ける塗料（ｐａｉｎｔ）、染料（ｄｙｅ）、チョーク（ｃｈａｌｋ）、着色剤（ｓｔａｉｎ）、インク、グリース、顔料（ｐｉｇｍｅｎｔ）又はその組合せでよい。目視できる印付けのほかに、紫外線（ＵＶ）光のような若干の媒体に露出したときに目視できるようになる印は裸眼では見えない（たとえば若干のけい光体）。ＵＶ光のような若干の媒体に露出したときに容易に識別できるようになる目視できない印は、組織側でその顧客ではなくて従業員を監視しようとする場合にとくに有用である。たとえばレストランでその本発明によるレストルーム・ドアを備え付ける場合に、その顧客は目視できる印を付けられないがこのレストランでは容易に識別できしかも目視できない物質をＵＶ光に対し露出することにより従業員を監視することができる。
【００１９】
従業員及び顧客のような使用者の類別間を区別する好適な方法は、レストルーム・ドアに本発明による第２のドア開放機構を設けることである。この第２のドア開放手段は、キー又は米国特許第４，５３４，１５４号、同第５，６０９，０５１号、同第５，４７５，９９６号及び同第５，３３７，５８８号の各明細書に記載してあるような電子装置又は磁気装置のような別の開放装置により開放するまでは鎖錠される標準のドア開放機構でよい。このキー又は開放装置は顧客だけが操作できるが従業員には操作できなくて、従業員が本発明の装置をバイパスしようとしても明らかになる。
【００２０】
物質１３は、所望の種類の手の洗浄に必要となるようなものを本発明により選定し又は予定することができる。たとえば物質１３は、この物質を人の手の消毒を最高にするのに十分な時間にわたり石鹸と水とで洗浄することにより初めて除くことができるように（又これと同時に水だけでは容易に落とせないように）構成することができる。又病院のような高度に衛生的な区域では本発明によれば物質１３は所望のアルコールをベースとする溶液（ａｌｃｏｈｏｌ  ｂａｓｅｄ  ｓｏｌｕｔｉｏｎ）又はその他の所望の種類の消毒媒体（ｓａｎｉｔａｒｙ  ｍｅｄｉｕｍ）によって洗浄することにより初めて除去できるように構成してある。本発明では所望の消毒流体（石鹸、水、アルコール又は抗菌性溶液）及び所望の洗浄法を選定することができる。
【００２１】
本発明の１実施例では印付け機構は、この機構により容易に識別可能な物質１３で人の手に極めて十分に（たとえば各指の間でも）印を付けるように手動でトリガされ、従ってこの機構により人は通常行われるよりなお一層十分に印の付いた手を（明らかに他方の手も）洗浄できる。手のこのような十分な洗浄は本発明の付加的な利点である。さらに容易に識別可能な物質１３による手の十分な印付けは、印付け機構を容易に識別可能な物質１３が各指の間に付着するように構成することによって最適にすることができる。他の実施例では印付け機構は、人の各指を離れさせる指案内１７を持ち人が吸収材料１１を介しバルブ１０を締付けたときに容易に識別可能な物質１３が人の各指の間に付着するようにしてある。各指案内１７は、印付け機構を作動するのにペーパ・タオル又は布を使い従って人の手の容易に識別可能な物質１３との接触を避けることによってシステム全体をバイパスすることを一層困難にする（又は不可能にする）付加的な利点がある。本発明の他の実施例では前記した印付け機構は、人がレストルームに入ったか入らないかを判定するのに支援電子検出システム（ｂａｃｋ  ｕｐ  ｅｌｅｃｔｒｏｎｉｃ  ｄｅｔｅｃｔｉｏｎ  ｓｙｓｔｅｍ）をさらに使うことができる。名札を使うこのような電子システムの１例は米国特許第５，６１０，５８９号明細書に記載してある。
【００２２】
一般に本発明のこの態様によればトイレット（及び／又は小便所）の洗浄機構は、トイレットの洗浄時に人の手に容易に識別可能な物質で印を付ける印付け機構を設けてある。すなわちトイレットを使用する人は、この場合トイレットを洗浄してはならない（明らかに実行可能な別の手段はない）か又はそれぞれ手に容易に識別可能な物質により印付けしなければならない。容易に識別可能な物質は次いで、又人の手を消毒する石鹸又は別の消毒剤を使うことにより初めて除くことができる。この状態に従って容易に識別可能な物質は最適の洗浄媒体に適合できるように構成することができる。たとえばレストルームでは容易に識別可能な物質１３は抗菌性石鹸により手の洗浄（たとえば持続時間及び効力の両方に関して）を最適にするように構成しなければならない。
【００２３】
図示のように印付け機構は手動でトリガする（ｍａｎｕａｌｌｙ  ｔｒｉｇｇｅｒ）ことができトイレットを洗浄するために洗浄を行う手に容易に識別可能な物質で十分に印を付けるように構成するのがよい。従って容易に識別可能な物質を除去するには手の十分な洗浄を行わなければならない。容易に識別可能な物質は、毒性がなく極めて目視しやすく水だけでは洗浄できないが消毒溶液（たとえば抗菌性石鹸）による十分な手の洗浄によって極めて容易に洗浄できるのがよい。一方の手を十分に洗浄する唯一の実際的方法は他方の手にも実施し、このようにして２つの手が清浄になり消毒されるようになる。
【００２４】
図２は印付け機構を備えたドア・ノブ又はその他のドア開放機構の１実施例の横断面図である。この実施例では印付け機構は、レストルームのような非衛生的な区域又はレストラン食品調理区域のような衛生的な区域に対する入口ドア１９に連結してある。ドア１９は自動的に閉じ（たとえばばね付勢した又は空気圧式のドア・クロージャのようなよく知られた方法を使い）人が単にドアを半開きにしたままにするだけでは印付け機構をバイパスできないようにするのがよい。或はドアは、このドアが半開きになっている（すなわち人がドア開放機構をバイパスできるように十分開いている）ときに監視人には容易に明らかになる（たとえば或る種の信号を協働させる）ように構成することができる。図２に示すように吸収材料１１は、衛生的な区域又は非衛生的な区域に入ることのできるドア・ノブ１８を被覆する。容易に識別可能な物質１３を入れた容器１４はドア・ノブ１８の上方に位置させ容易に識別可能な物質１３を吸収材料１１に重力により送給する。衛生的な区域に入ろうとする人がドア・ノブ１８を使用しなければならない場合は、それぞれ手に容易に識別可能な物質１３で必ず印が付く。図１のトリガ機構と同様にドア・ノブ１８は又、指案内１７を持ち手の十分な印付けを確実にしシステムをバイパスするのにペーパ・タオル又は布を使えなくする。又前記実施例の場合のように手に印をつけると、人は容易に識別可能な物質１３を除くように手を十分に洗浄しなければならない。
【００２５】
若干の応用例では第２のドア開放機構又は作動機構（図示してない）は入口ドア１９に設けられそれぞれ手を十分に洗浄し又は消毒する要求を受けない顧客又はその他の人をドア・ノブ１８及び容易に識別可能な物質１３をバイパスさせるようにしてある。たとえばレストランのマネージャ等はドア・ノブ１８を非作動にしそして／又はバイパスして第２のドア作動機構により入口ドア１９を開くことのできるキーを備える。このレストラン・マネージャは、レストランの食品調理及び食品取扱いの作業者と同じ要求を受けない顧客及びその他の人だけがこのキーを利用できるようにする。たとえばこのキーはレストランの極めて見えやすい区域に置くことができる。
【００２６】
なお他の応用例で印付け機構をバイパスさせ又はこの機構が人の手に印を付けないようにするときを指示する指示機構を設けてある。このような機構の１例は、容易に識別可能な物質１３が人の手に接触しないようにするのに布片、紙片又は類似の材料片が使用されたときを指示するように、トイレット／小便所洗浄機構の外部に又はドア・ノブ１８の外部に位置させたＶｅｌｃｒｏ（登録商標）材料（明示してない）に典型的に関連するような粗いフック状表面である。この粗いフック状表面は、人の手による洗浄機構又はドア・ノブ１８の操作に適合するように選定するのがよいが容易に識別可能な物質１３が人の手に印を付けるのを防ぐように布片又は紙片を前記の機構又はドア・ノブに当てがわれたときを指示する。この用例は、限定された人数の人が洗浄機構を使いこの機構をバイパスしようとする試みが特定の人を追跡するのに一層容易になる住居の場合にとくに有用である。
【００２７】
本発明の好適な実施例ではドアを開くのに使用する手の印付けは、手の印付けと手の洗浄との間の時限中に容易に識別可能な物質を布又はその他の物品のよごれ又はしみが最少になるようにして手に明確に印付けされるようにして行われる。最も好適な実施例では容易に識別可能な物質は、よごれやしみの生ずる異常な場合に布やその他の物品からこれ等の洗浄により除去される組成物から成る。洗浄できる容易に識別可能な物質の例については、クルーガー（Ｋｌｕｇｅｒ）等を発明者とする米国特許第５．０４３、０１３号明細書「洗浄できるインク組成物」を参照すればよい。容易に識別可能な物品のしみやよごれを最少にし最終的に洗浄できることは、印付け機構がレストルームの入口にある本発明の実施例ではとくに重要である。このような場合に印付けは、レストルーム内の人の布又はその他の物品を人が備品を利用する際にこの人の手によってよごしたりしみをつけたりしないようにして行わなければならないのは明らかである。
【００２８】
しみやよごれの付着を最少にすることは他の手段のうちで次の２つの方法でできる。第１にこの印又はこれ等の印は、比較的小さく、人の手の手のひら及び／又は各指の間及び／又は手或は各指の背部にある。このことは、印が手の使用の際に種種の物品に比較的接触しやすい場合に各指先又は各指の内側に印を付けるのがよい。第２に容易に識別可能な物質は、この物質が接触に対し実質的に乾燥し手に印を付けた後極めて迅速によごれを生じないようにして明瞭に極めて薄く施す。
【００２９】
本発明の他の好適な実施例では印は刻印と称する公知の方法（この説明に参照した米国特許第５，８２６，５１５号明細書「スタンピング装置」参照）によって付けることができる。スタンプは、当業界にはよく知られ通常別個のインク・パッドを備える。本発明の好適なスタンプは、容易に識別可能な物質／インク用のハウジングと一体の印付け先端により自動インク送給する。このようなスタンピング装置は、第１端部、第２端部及びこれ等の端部間の通路を持つハウジングと、このハウジングの第２端部に取付けられ突出像を形成した外方に突出する面部を持つ像形成先端と、この像形成先端に接触してハウジングの通路内に圧縮状態で配置した吸収剤移換媒体又は挿入部材とを備える。使用時にはこの通路にハウジングの第１端部で印付け装置のような記入器具の印付け先端を受入れるようにしてある。記入器具の印付け先端をこの通路内に挿入するときは、容易に識別可能な物質／インクが記入器具から吸収剤挿入部材に又像形成先端に流れる。この像形成先端が容易に識別可能な物質／インクで飽和すると、像形成先端で形成した突出像のインクによる再生が像形成先端の外方に突出する面部分を人の手に押圧することにより人の手に転写される。
【００３０】
催しものの事象で人人がこの事象に出入できるようにこの人人に印を付けるのにスタンピング（ｓｔａｍｐｉｎｇ）が多年にわたり行われ、この人人が再入場時に入場料をすでに支払ってあるのは明らかである。スタンピングの別の他の人気のあるよく知られたスタンピングの使用は幼兒のゲームと遊戯及び技能とに対するものがある。実際上着色インク又は染料を使うこのような幼兒向けスタンプはこれ等が容易に識別可能であり、インク又は染料が薄く施され接触に対しほぼ瞬間的に乾燥するから良好に機能する。これ等の商業的に利用できるスタンプは又、これ等が毒性がなく石鹸水による手の十分な洗浄によって除去できるから理想的である。多くのこのようなインク又は染料は人の皮膚に対し安全で有効であるから医薬の分野又は化粧品の分野で知られている。多くのこのような染料及び／又はインクはキタバタケを発明者とする米国特許第４，１６９，１６９号とクルーガー等を発明者とする米国特許第５，０４３，０１３号との各明細書に記載され本説明に参照してある。
【００３１】
水性のインク／染料組成物は、これ等が通常石鹸水で洗浄できるからとくに好適である。このような洗浄できるインク組成物の１例は、ポリアルキレンオキシ−置換（ｐｏｌｙａｌｋｙｌｅｎｅｏｘｙ−ｓｕｂｓｔｉｔｕｔｅｄ）、極性基置換発色団化合物（ｐｏｌａｒ  ｇｒｏｕｐ−ｓｕｂｓｔｉｔｕｔｅｄ  ｃｈｒｏｍｏｐｈｏｒｅ  ｃｏｍｐｏｕｎｄ）を含む。とくに好適なインク組成物は高分子量の着色剤（ｃｏｌｏｒａｎｔ）を持つ。その理由は、このような着色剤は人に対する毒性が比較的低く他の溶剤を必要としないからである。このような水性インク組成物は、約４０重量％ないし約８０重量％の水と、約１０重量％ないし約５０重量％のポリアルキレン・オキシド・ユニットを持つ極性発色団（ｐｏｌａｒ  ｃｈｒｏｍｏｐｈｏｒｅ）を含む約１０重量％ないし約５０重量％の高分子着色剤とを含む。洗浄できるインク組成物に対し選定した高分子着色剤は、約５重量％ないし４０重量％のポリアルキレン・オキシド（なるべくはエチレン・オキシド）を含む。さらにフメクタント［ｈｕｍｅｃｔａｎｔ］（印付け機構からの乾燥を防ぐ）のようなよく知られた添加剤とコレイティング剤（Ｃｈｏｌａｔｉｎｇ  ａｇｅｎｔ）（貯蔵寿命を向上する）とを加えることが望ましい。
【００３２】
容易に識別可能な物品が真水で容易に除去できるものではないことが重要である。石鹸と水（ｓｏａｐ  ａｎｄ  ｗａｔｅｒ）又はその他の消毒媒体による好適な除去時間は１０秒ないし２分の間であることが多い。最も好適な除去時間は典型的には２０ｓｅｃないし１ｍｉｎである。一層短い除去時間では手の消毒が不十分になり、又一層長い時限では報収の減少、時間のむだ及び使用者の失敗（この失敗によりシステムをバイパスしようとする考え方が増大するようになる）の問題を生ずるおそれがある。
【００３３】
人の手の印付けに良好に機能する幼兒のスタンプの例にはクレイオラ（Ｃｒａｙｏｌａ）社製の「スタンピング・フアン（Ｓｔａｍｐｉｎｇ  Ｆｕｎ）」とローズ・アート（Ｒｏｓｅ  Ａｒｔ）社製の「ライト・アップ・クリスタル・スタンパズ（"Ｌｉｔｅ  Ｕｐ  Ｃｒｙｓｔａｌ  Ｓｔａｍｐｅｒｓ"）」とがある。これ等の製品中のインクは、乾燥顔料を加えた水をベースとする製品［ｗａｔｅｒ  ｂａｓｅｄ  ｍａｔｅｒｉａｌ］（水で除去できる）である。付加的な利点としてこれ等の製品は又、被服及びその他の物品から洗浄することにより除去できるものとして公示されている。これ等のスタンピング製品（ｓｔａｍｐｉｎｇ  ｐｒｏｄｕｃｔ）を使って実験が行われた。人の手の手のひらに前記した各製品を各別に使い刻印した。スタンピングの直後に手のひらの印（ｍａｒｋ）は接触に対し乾燥し布をよごすことがない。手のひらのスタンピング後３０ないし６０秒以内に、水だけを使い手を洗浄した（他方の手は正常なこすりあわせ運動で使う）。１分以上のこのような洗浄後にこの印（ｍａｒｋ）はいずれの製品に対してもなお完全には除去されなかった。次いでこれ等の実験は水と石鹸〔この石鹸はレストルーム・ディスペンサーからの標準のキンバリー・エンド・クラーク（Ｋｉｍｂｅｒｌｙ  ａｎｄ  Ｃｌａｒｋ）液体石鹸であった〕を使用したことを除いて正確に同じようにしてもと通りにした。石鹸を使用したときは刻印により残された印は３０ｓｅｃないし４５ｓｅｃの手の普通の洗浄により除去できた。互いに異なる２種類の幼兒の印つけによって又実験を行ったが、これ等の実験は印が水だけで極めて迅速に（５ｓｅｃないし１０ｓｅｃ以下）容易に除かれるから好適ではなかった。これ等の好適でない印付け器は共にクレイオラ社製の「キッズ・ファースト（"Ｋｉｄｓ  Ｆｉｒｓｔ"）」と「トラベル・ゲイムズ／ドライ・イレイズ／カラー・ワイプオフス（"Ｔｒａｖｅｌ
Ｇａｍｅｓ／Ｄｒｙ  Ｅｒａｓｅ／Ｃｏｌｏｒ  Ｗｉｐｅｏｆｆｓ"）」とであっ
た。このような容易に除去できる印は人が石鹸で十分に洗浄できないのは明らかである。
【００３４】
人の手の手のひらに印を付けるのに印付け機構としてスタンプ（ｍａｒｋ）を使うこの好適な方法は図３に例示してある。図２の場合と同様にスタンプ／印付け機構２３（ｓｔａｍｐ／ｍａｒｋｉｎｇ  ｍｅｃｈａｎｉｓｍ）は、入口１９を経て衛生的な区域又は非衛生的な区域に入ることのできるドア・ノブ１８に結合してある。ドア・ノブ１８は、ドア・ノブ１８からわずかに突出するスタンプ（ｓｔａｍｐ）２３を含む。スタンプ２３は、このスタンプが容易に識別可能な物質１３を使い果たしたときに容易に取りはずして交換できるように構成すればよい。このことは、スタンプ２３全体又は容易に識別可能な物質１３を含むカートリッジを交換することによって行われる。スタンプ２３は、人の手を確実に洗浄するのに役立つ装置に満足して使用できる交換できる容器の１例を示す。本発明によれば広範囲の種類の交換できる容器が満足して使用できる。
【００３５】
さらにスタンプ２３が乾燥しないようにするのにスタンプ２３は、容易に識別可能な物質１３を湿った状態に保持する引込み自在のキャップ（図示してない）で覆えばよい。スタンプ２３は、人の手にその手のひらに印付けするように中央に位置させるのがよい。人にその手をスタンプ２３に当てさせるように、ドア・ノブ１８はこのドア・ノブ１８を回すのに作動しなければならない標準の解錠機構（ｕｎｌｏｃｋｉｎｇ  ｍｅｃｈａｎｉｓｍ）２４をもつのがよい。解錠機構２４をドア・ノブ１８の後側に位置決めしドア・ノブ１８の寸法及び形状を正確に定めることにより、解錠機構２４によって人にその手の手のひらをスタンプ２３に当てがわせることにより容易に識別可能な物質１３で手に印付けする。幼兒のレストルームではドア・ノブは幼児がドア・ノブを使用できるのに十分寸法を小さく幼児の手にスタンプ２３により印付けするのに十分なだけ大きい寸法に定めなければならない。
【００３６】
一般に本発明のこの付加的態様によれば衛生的な区域への入口に印付け機構を設けることができる。たとえば図２に示すように衛生的な区域のドア・ノブに手動でトリガする印付け機構を設けてある。この構造により、入る人は衛生的な区域に入った後十分に手を確実に洗わなければならないか或はそれぞれ手を洗ってないとして容易に識別できなければならない。この実施例は、たとえばレストランの調理区域への入口、病院の衛生的な区域及びハイテク・クリーン・ルーム（ｈｉｇｈ−ｔｅｃｈｎｏｌｏｇｙ  ｃｌｅａｎ  ｒｏｏｍ）のような区域で良好に作用する。前記したように容易に識別可能な物質は最終使用目的に従って手の洗浄を最適にするように選定する。たとえばハイテク・クリーン・ルームに入るのに先だって主目標はバクテリアによる汚染よりも微粒子汚染を最少にする。従って容易に識別可能な物質はチョーク又は顔料、或は液体でない別の粒状物質でもよい。
【００３７】
病院又は医療施設における１例として人は水でなくてアルコールで洗浄することが望ましく、従って水に不溶のインク又は染料が好適である。医薬品及び化粧品で使うことのできる非毒性の油性染料の例は、９−０−カルボキシフェニル−６−ジエチルアミノ−３−エチルイミノ−３−イソ−キサンテンの３−エソアセテート〔この染料の法定名称はレッドＮｏ．２１５であり、一般名称はロッドアミンＢステアレート（Ｒｈｏｄａｍｉｎｅ  Ｂ  Ｓｔｅａｒａｔｅ）である〕と、２，４，５，７−テトラブロモ−１２、１３、１４、１５−テトラクロロ−３，６−フルオランジオール（レッドＮｏ．２１８、テトラクロロテトラブロモフルオレセイン）と２，４，５，７−テトラブロモ−３，６−フルオランディオール（レッドＮｏ．２２３、テトラブロモフルオレセイン）と１−ｐ−フエニルアゾ−フエニルアゾ−２−ナットール〔レッドＮｏ．２２５、スーダン（Ｓｕｄａｎ）ＩＩＩ〕と０−トリルアゾ−０−トリルアゾ−２−ナット−ル〔レッドＮｏ．５０１、メディカル・スカーレット（Ｍｅｄｉｃａｌ  Ｓｃａｒｌｅｔ）〕と１−キシリルアゾ−２−ナフトール〔レッドＮｏ．５０５、オイル・レッド（Ｏｉｌ  Ｒｅｄ）ＸＯ〕とのような赤色染料と、４，５−ジブロモ−３，６−フルオランジオール（オレンジＮｏ.２０１、ジブロモフルオレセイン）と１−ｏ−トリルアゾ−２−ナフトール（オレンジＮｏ.４０３、オレンジＳＳ）と４，５−ジョード−３，６−フルオランジオール（オレンジＮｏ．２０６、ジョードフルオレセイン）とのようなオレンジ色染料と、３，６−フルオランジオール（イエロウＮｏ．２０１、フルオレセイン）と２−（２−キノリル）−１，３−インダンジオン（イエロウＮｏ．２０４、キノリン・イエロウＳＳ）と１−フエニルアゾ−２−ナフチルアミン（イエロウＮｏ．４０４、イエロウＡＢ）と１−ｏ−トリルアゾ−２−ナフチルアミン（イエロウＮｏ．４０５、イエロウＯＢ）とのような黄色染料と、１，４−ビス（ｐ−トルイノ）アンスラキノン〔グリーンＮｏ．２０２、キニザリン（Ｑｕｉｎｉｚａｒｉｎ）グリーンＳＳ〕のような緑色染料と、１−メチアミノ−４−ｏ−トリルアミノアンスラキノン（ブルーＮｏ．４０３、スーダン・ブルーＢ）のような青色染料と、１−ヒドロキシー４−ｐ−トルイノアンスラキノン〔バイオレットＮｏ．２０１、アリズロール・パープル（Ａｒｉｚｒｏｌｌ  Ｐｕｒｐｌｅ）ＳＳ〕のような紫色染料とがある。
【００３８】
インクは又、結合剤、可塑剤（たとえばクエン酸エステル）及び溶媒のような他の添加剤を含んでもよい。これ等の溶媒は結合剤及び染料を溶解することのできる任意の有機溶媒でよい。これ等の例は、トルオール及びキシロールのような芳香族炭化水素（及びおそらくは水も）含む。結合剤は、染料を溶解できるセルロース誘導体又は合成樹脂でよい。エチルセルロース、メチルセルロース及びカルボキシメチルセルロースのような、食品包装に使われる無害の結合剤がとくに好適である。通常染料はインクの全重量の１０ないし３０重量％である。
【００３９】
人が手を逐次に洗浄できるように人の手の「よごれ」についてのこの概念は非直感的であるが、しかし容易に識別可能な物質及び洗浄剤を良好に選定すると手はとくに清浄になる。
【００４０】
以上本発明をその好適な実施例について詳細に述べたが本発明はなおその精神を逸脱しないで種種の変化変型を行うことができるのはもちろんである。
【図面の簡単な説明】
【図１】  本発明方法の１実施例に使う印付け機構を設けたトイレット洗浄機構の横断面図である。
【図２】  本発明方法の他の実施例に使う印付け機構を設けたドア・ノブの横断面図である。
【図３】  本発明方法のさらに別の実施例に使うドア・ノブを示す側面図である。
【符号の説明】
１０      圧縮性バルブ（印付け機構）
１１      吸収材料
１３      容易に識別可能な物質
１５      洗浄機構
１８      ドア・ノブ
【図１】
0004512274.tif 000002
【図２】
0004512274.tif 000003
【図３】
0004512274.tif 000004